(57)【要約】【課題】  遊技機間の入賞率に個体差を生じ難く、且つ遊技球の第１変動入賞装置等への入賞に基づいて、第１変動入賞装置への入賞率を変化させることが可能な遊技機を提供する。【解決手段】  第１変動入賞装置（１０２）は、複数種類の識別情報を変動表示可能な表示装置（開放時間決定図柄表示装置５０３）と、一般入賞口に遊技球が入賞したことを検出する一般入賞口球検出手段（一般入賞口センサＳＳ３）とを備え、制御手段（演出制御装置３００）は、補助遊技の際に、第１可動部材（開閉部材５００）の開放時間を設定する第１可動部材開放時間設定手段（演出制御装置３００およびプログラム）を備え、該第１可動部材開放時間設定手段は、前記一般入賞口球検出手段の遊技球の検出に基づいて、前記複数種類の識別情報の変動表示を行い、その停止識別情報態様と関連させて、前記補助遊技の際に前記第１可動部材を開放する時間を設定する構成とした。【選択図】  図６
2005185782.tif 000002
【特許請求の範囲】
【請求項１】
遊技盤に取り付けるための第１取付基板と、前記第１取付基板の略中央部分に形成され、前記第１取付基板の後方に向かって突出し、前面が開口した第１凹室と、前記第１取付基板に設けられる１または２以上の第１可動部材と、前記第１凹室の所要部位に設けられて、前記第１可動部材により受け入れられた遊技球が入賞可能な一般入賞口および特別入賞口と、前記第１可動部材を開閉可能に駆動する第１可動部材用電気的駆動源とを具備する第１変動入賞装置と、
遊技球が入賞可能な始動口と、
を前記遊技盤に備え、
前記始動口に遊技球が入賞することを補助遊技発生条件として前記第１変動入賞装置の第１可動部材が開閉動作を行う補助遊技を発生し、前記補助遊技中に前記第１変動入賞装置に受け入れられた遊技球が前記特別入賞口に入賞することを特別遊技発生条件として遊技者に有利な特別遊技を発生可能な制御手段と、
を備える遊技機において、
前記第１変動入賞装置は、
複数種類の識別情報を変動表示可能な表示装置と、前記一般入賞口に遊技球が入賞したことを検出する一般入賞口球検出手段と、を備え、
前記制御手段は、
前記補助遊技の際に、前記第１可動部材の開放時間を設定する第１可動部材開放時間設定手段を備え、
該第１可動部材開放時間設定手段は、
前記一般入賞口球検出手段の遊技球の検出に基づいて、前記複数種類の識別情報の変動表示を行い、その停止識別情報態様と関連させて、前記補助遊技の際に前記第１可動部材を開放する時間を設定することを特徴とする遊技機。
【請求項２】
遊技盤に取り付けるための第１取付基板と、前記第１取付基板の略中央部分に形成され、前記第１取付基板の後方に向かって突出し、前面が開口した第１凹室と、前記第１取付基板に設けられる１または２以上の第１可動部材と、前記第１凹室の所要部位に設けられて、前記第１可動部材により受け入れられた遊技球が入賞可能な一般入賞口および特別入賞口と、前記一般入賞口および特別入賞口よりも上流側で前記第１可動部材を介して導入された全ての遊技球を検出可能な入賞球検出手段と、前記第１可動部材を開閉可能に駆動する第１可動部材用電気的駆動源と、を具備する第１変動入賞装置と、
遊技球が入賞可能な始動口と、
を前記遊技盤に備え、
前記始動口に遊技球が入賞することを補助遊技発生条件として前記第１変動入賞装置の第１可動部材が開閉動作を行う補助遊技を発生し、
前記補助遊技中に前記第１変動入賞装置に受け入れられた遊技球が前記特別入賞口に入賞することを特別遊技発生条件として遊技者に有利な特別遊技を発生可能な制御手段と、
を備える遊技機において、
前記第１変動入賞装置は、
複数種類の識別情報を変動表示可能な表示装置を備え、
前記制御手段は、
前記補助遊技の際に、前記第１可動部材の開放時間を設定する第１可動部材開放時間設定手段を備え、
前記第１可動部材開放時間設定手段は、
前記入賞球検出手段の遊技球の検出に基づいて、前記複数種類の識別情報の変動表示を行い、その停止識別情報態様と関連して、前記補助遊技の際に前記第１可動部材を開放する時間を設定することを特徴とする遊技機。
【請求項３】
前記第１可動部材開放時間設定手段は、
前記複数の識別情報が変動表示中に前記始動口への入賞が検出された場合には変動時間を延長することを特徴とする請求項１または請求項２に記載の遊技機。
【請求項４】
前記第１可動部材開放時間設定手段は、
前記複数の識別情報が変動表示中に前記始動口へ遊技球が入賞した場合には、補助遊技を実行しないことを特徴とする請求項１または請求項２に記載の遊技機。
【請求項５】
前記第１可動部材開放時間設定手段は、
前記複数の識別情報が変動表示中に前記始動口への入賞が検出された場合には、前記複数の識別情報の変動表示を停止させ、停止識別情報を表示してから、その始動口への入賞に基づく補助遊技を行うことを特徴とする請求項１または請求項２に記載の遊技機。
【請求項６】
前記第１可動部材開放時間設定手段は、
前記一般入賞口球検出手段または入賞球検出手段の遊技球の検出に基づき、所定の抽選を行い、その抽選結果に対応して、少なくとも前記停止識別情報を決定すると共に、
前記抽選結果に対応して、前記補助遊技を実行する際に前記第１可動部材を開放する時間を決定し、
前記複数の識別情報が停止表示態様となるタイミングで、前記補助遊技を実行する際に前記第１可動部材を開放する時間を前記決定された時間に切り替え、
前記複数の識別情報が変動表示中に前記特別入賞口への遊技球の入賞が検出された場合には、その変動表示に対応した抽選結果を破棄することを特徴とする請求項１〜５の何れかに記載の遊技機。
【請求項７】
遊技盤に取り付けるための第１取付基板と、前記第１取付基板の略中央部分に形成され、前記第１取付基板の後方に向かって突出し、前面が開口した第１凹室と、前記第１取付基板に設けられる１または２以上の第１可動部材と、前記第１凹室の所要部位に設けられて、前記第１可動部材により受け入れられた遊技球が入賞可能な一般入賞口および特別入賞口と、前記第１可動部材を開閉可能に駆動する第１可動部材用電気的駆動源とを具備する第１変動入賞装置と、
遊技盤に取り付けるための第２取付基板と、前記第２取付基板の略中央部分に形成され、前記第２取付基板の後方に向かって突出し、前面が開口した第２凹室と、前記第２取付基板に設けられる第２可動部材と、前記第２可動部材を開閉可能に駆動する第２可動部材用電気的駆動源とを具備する第２変動入賞装置と、
複数種類の識別情報を変動表示可能な第１変動表示装置と、
複数種類の識別情報を変動表示可能な第２変動表示装置と、
遊技球が入賞可能な始動口と、
を前記遊技盤に備え、
前記始動口に遊技球が入賞することに基づいて前記第１変動表示装置の変動表示を行い、停止結果態様が予め定められた特定結果態様であった場合に、前記第１変動入賞装置の第１可動部材が開閉動作を行う補助遊技を発生し、前記補助遊技中に前記第１変動入賞装置に受け入れられた遊技球が前記特別入賞口に入賞することを特別遊技発生条件として、前記第２変動入賞装置の第２可動部材が開閉動作を行う遊技者に有利な特別遊技状態を発生可能な制御手段と、
を備え、
前記第１可動部材の開放時間を設定する第１可動部材開放時間設定手段を備え、
前記第１可動部材開放時間設定手段は、
前記第２変動表示装置が変動表示中に前記第１変動表示装置の変動表示を開始した場合は、前記第１変動表示装置における変動表示の停止タイミングを前記第２変動表示装置における変動表示の停止タイミングよりも遅延させることを特徴とする遊技機。
【請求項８】
前記第１可動部材は、
長い板状に形成され、その長手方向の中間点を回転中心として第１変動入賞装置外側に所定角度回動可能とされ、
前記第１変動入賞装置は、
前記第１可動部材の回動角度が上限値に達した状態で、外側の端部から入賞した入賞球を他端から前記特別入賞口へ誘導可能な誘導樋を設けることを特徴とする請求項１〜請求項７の何れかに記載の遊技機。
【発明の詳細な説明】
【技術分野】
【０００１】
本発明は、始動口に遊技球が入賞することに関連して変動入賞装置の可動部材が開閉動作を行う補助遊技を発生すると共に、補助遊技中に変動入賞装置に受け入れられた遊技球が特別入賞口に入賞することを条件として、所定回数の開閉動作を行うサイクル遊技が行われ、サイクル遊技中に第１変動入賞装置に受け入れられた遊技球が特別入賞口に入賞することを条件として、遊技者に有利な特別遊技を発生可能な遊技機に関する。
【背景技術】
【０００２】
従来より、遊技機の一種としてのパチンコ機には、始動口に遊技媒体としての遊技球が入賞することを条件として変動入賞装置の可動部材が開閉動作を行う補助遊技を発生し、この補助遊技中に変動入賞装置に受け入れられた遊技球が特別入賞口に入賞することを条件として、所定回数の開閉動作を行うサイクル遊技を行い、このサイクル遊技中に変動入賞装置に受け入れられた遊技球が特別入賞口に入賞することを条件として新たなサイクル遊技が継続して行われる特別遊技を発生可能にしたタイプのものがある。
【０００３】
ところで、このようなパチンコ機において、遊技者の興趣を高めてゲームに飽きないようにするために、遊技球の変動入賞装置等への入賞に基づいて、変動入賞装置への入賞率に変化を持たせたいという要望がある。
【０００４】
このような要望を満たすべく、例えば特許文献１に開示されているように、変動入賞装置の大入賞口への遊技球の入賞に基づいて、図柄表示体を可変表示させ、この可変表示結果が当たりとなった場合に、特定領域の入口付近に配設され昇降運動によって開口面積を変化させる可動部材としてのキャラクタ本体を上昇させて、特定領域の有効開口面積を拡張させ、入賞球が特定領域へ入り易くする機構を備えた遊技機が提案されている。
【特許文献１】特開平６−１４２２９８号公報
【発明の開示】
【発明が解決しようとする課題】
【０００５】
しかしながら、上記従来の遊技機では、同じ構造の変動入賞装置が設けられている遊技機同士を比較した場合に、各遊技機間において、変動入賞装置の構成部品の成型精度や組付時の取付精度などに関し個体差が生じ易い。そして、この個体差により、同じ機種であっても特定領域への入賞率が異なる状態を生じてしまい、全ての遊技者に対して公平な遊技機環境を提供し難いという不都合があった。
【０００６】
本発明は、上記課題を解決するためになされたもので、遊技機間の入賞率に個体差を生じ難く、且つ遊技球の第１変動入賞装置等への入賞に基づいて、第１変動入賞装置への入賞率を変化させることが可能な遊技機を提供することを目的とする。
【課題を解決するための手段】
【０００７】
上記目的を達成するため本発明に係る遊技機は、遊技盤に取り付けるための第１取付基板と、前記第１取付基板の略中央部分に形成され、前記第１取付基板の後方に向かって突出し、前面が開口した第１凹室と、前記第１取付基板に設けられる１または２以上の第１可動部材と、前記第１凹室の所要部位に設けられて、前記第１可動部材により受け入れられた遊技球が入賞可能な一般入賞口および特別入賞口と、前記第１可動部材を開閉可能に駆動する第１可動部材用電気的駆動源とを具備する第１変動入賞装置と、遊技球が入賞可能な始動口とを前記遊技盤に備え、前記始動口に遊技球が入賞することを補助遊技発生条件として前記第１変動入賞装置の第１可動部材が開閉動作を行う補助遊技を発生し、前記補助遊技中に前記第１変動入賞装置に受け入れられた遊技球が前記特別入賞口に入賞することを特別遊技発生条件として遊技者に有利な特別遊技を発生可能な制御手段とを備える遊技機において、前記第１変動入賞装置は、複数種類の識別情報を変動表示可能な表示装置と、前記一般入賞口に遊技球が入賞したことを検出する一般入賞口球検出手段とを備え、前記制御手段は、前記補助遊技の際に、前記第１可動部材の開放時間を設定する第１可動部材開放時間設定手段を備え、該第１可動部材開放時間設定手段は、前記一般入賞口球検出手段の遊技球の検出に基づいて、前記複数種類の識別情報の変動表示を行い、その停止識別情報態様と関連させて、前記補助遊技の際に前記第１可動部材を開放する時間を設定する構成とした。
【０００８】
なお、上記「遊技者に有利な特別遊技」とは、例えば、前記補助遊技における前記第１可動部材の開閉回数よりも多い開閉回数を最大開閉回数とする開閉動作を行うサイクル遊技が行われ、前記サイクル遊技中に前記第１変動入賞装置に受け入れられた遊技球が前記特別入賞口に入賞することを条件として新たなサイクル遊技が継続して行われる遊技状態でも良いし、前記第１可動部材が所定時間開放する遊技状態でも良いし、あるいは前記第１変動入賞装置に所定個数の球が入賞するまで前記第１可動部材を開放する遊技状態でも良い。また、前記第１可動部材が所定時間開放するか、前記第１変動入賞装置へ所定個数の入賞球があった場合に第１可動部材を閉止するラウンド遊技を所定回数繰り返す遊技状態であっても良い。
【０００９】
また、他の発明に係る遊技機は、遊技盤に取り付けるための第１取付基板と、前記第１取付基板の略中央部分に形成され、前記第１取付基板の後方に向かって突出し、前面が開口した第１凹室と、前記第１取付基板に設けられる１または２以上の第１可動部材と、前記第１凹室の所要部位に設けられて、前記第１可動部材により受け入れられた遊技球が入賞可能な一般入賞口および特別入賞口と、前記一般入賞口および特別入賞口よりも上流側で前記第１可動部材を介して導入された全ての遊技球を検出可能な入賞球検出手段と、前記第１可動部材を開閉可能に駆動する第１可動部材用電気的駆動源とを具備する第１変動入賞装置と、遊技球が入賞可能な始動口とを前記遊技盤に備え、前記始動口に遊技球が入賞することを補助遊技発生条件として前記第１変動入賞装置の第１可動部材が開閉動作を行う補助遊技を発生し、前記補助遊技中に前記第１変動入賞装置に受け入れられた遊技球が前記特別入賞口に入賞することを特別遊技発生条件として遊技者に有利な特別遊技を発生可能な制御手段とを備える遊技機において、前記第１変動入賞装置は、複数種類の識別情報を変動表示可能な表示装置を備え、前記制御手段は、前記補助遊技の際に、前記第１可動部材の開放時間を設定する第１可動部材開放時間設定手段を備え、前記第１可動部材開放時間設定手段は、前記入賞球検出手段の遊技球の検出に基づいて、前記複数種類の識別情報の変動表示を行い、その停止識別情報態様と関連して、前記補助遊技の際に前記第１可動部材を開放する時間を設定するように構成した。
【００１０】
また、前記第１可動部材開放時間設定手段は、前記複数の識別情報が変動表示中に前記始動口への入賞が検出された場合には変動時間を延長するようにできる。
【００１１】
また、前記第１可動部材開放時間設定手段は、前記複数の識別情報が変動表示中に前記始動口へ遊技球が入賞した場合には、補助遊技を実行しないようにしてもよい。
【００１２】
また、前記第１可動部材開放時間設定手段は、前記複数の識別情報が変動表示中に前記始動口への入賞が検出された場合には、前記複数の識別情報の変動表示を停止させ、停止識別情報を表示してから、その始動口への入賞に基づく補助遊技を行うようにしてもよい。
【００１３】
また、前記第１可動部材開放時間設定手段は、前記一般入賞口球検出手段または入賞球検出手段の遊技球の検出に基づき、所定の抽選を行い、その抽選結果に対応して、少なくとも前記停止識別情報を決定すると共に、前記抽選結果に対応して、前記補助遊技を実行する際に前記第１可動部材を開放する時間を決定し、  前記複数の識別情報が停止表示態様となるタイミングで、前記補助遊技を実行する際に前記第１可動部材を開放する時間を前記決定された時間に切り替え、前記複数の識別情報が変動表示中に前記特別入賞口への遊技球の入賞が検出された場合には、その変動表示に対応した抽選結果を破棄するようにしてもよい。
【００１４】
さらに、他の発明に係る遊技機は、遊技盤に取り付けるための第１取付基板と、前記第１取付基板の略中央部分に形成され、前記第１取付基板の後方に向かって突出し、前面が開口した第１凹室と、前記第１取付基板に設けられる１または２以上の第１可動部材と、前記第１凹室の所要部位に設けられて、前記第１可動部材により受け入れられた遊技球が入賞可能な一般入賞口および特別入賞口と、前記第１可動部材を開閉可能に駆動する第１可動部材用電気的駆動源とを具備する第１変動入賞装置と、遊技盤に取り付けるための第２取付基板と、前記第２取付基板の略中央部分に形成され、前記第２取付基板の後方に向かって突出し、前面が開口した第２凹室と、前記第２取付基板に設けられる第２可動部材と、前記第２可動部材を開閉可能に駆動する第２可動部材用電気的駆動源とを具備する第２変動入賞装置と、複数種類の識別情報を変動表示可能な第１変動表示装置と、複数種類の識別情報を変動表示可能な第２変動表示装置と、遊技球が入賞可能な始動口とを前記遊技盤に備え、前記始動口に遊技球が入賞することに基づいて前記第１変動表示装置の変動表示を行い、停止結果態様が予め定められた特定結果態様であった場合に、前記第１変動入賞装置の第１可動部材が開閉動作を行う補助遊技を発生し、前記補助遊技中に前記第１変動入賞装置に受け入れられた遊技球が前記特別入賞口に入賞することを特別遊技発生条件として、前記第２変動入賞装置の第２可動部材が開閉動作を行う遊技者に有利な特別遊技状態を発生可能な制御手段とを備え、前記第１可動部材の開放時間を設定する第１可動部材開放時間設定手段を備え、前記第１可動部材開放時間設定手段は、前記第２変動表示装置が変動表示中に前記第１変動表示装置の変動表示を開始した場合は、前記第１変動表示装置における変動表示の停止タイミングを前記第２変動表示装置における変動表示の停止タイミングよりも遅延させる構成とした。
【００１５】
ここで、前記「遊技者に有利な特別遊技」とは、例えば、前記第２可動部材が所定時間開放する遊技状態でも良いし、前記第２変動入賞装置に所定個数の球が入賞するまで前記第２可動部材を開放する遊技状態でも良いし、前記第２可動部材が所定時間開放するか、前記第２変動入賞装置へ所定個数の入賞球があった場合に前記第２可動部材を閉止するラウンド遊技を所定回数繰り返す遊技状態であっても良い。
【００１６】
また、前記第１可動部材は、長い板状に形成され、その長手方向の中間点を回転中心として第１変動入賞装置外側に所定角度回動可能とされ、前記第１変動入賞装置は、前記第１可動部材の回動角度が上限値に達した状態で、外側の端部から入賞した入賞球を他端から前記特別入賞口へ誘導可能な誘導樋を設けるようにしてもよい。
【発明の効果】
【００１７】
請求項１に係る発明によれば、遊技者は補助遊技の際に、第１変動入賞装置に入賞した球が特別入賞口へ流入した場合に加えて、特別入賞口へ流入せずに一般入賞口に流入した球の検出に基づく次回の第１可動部材開放時間を決定する変動表示ゲームを楽しむことができるので、遊技の興趣を高めることが期待できるという効果がある。また、第１可動部材の開放時間の長さを可変するのであれば、遊技機間の入賞率に個体差を生じ難いため、全ての遊技者に公平な遊技環境を提供することができるという効果がある。
【００１８】
また、請求項２に係る発明によれば、遊技者は補助遊技の際に、第１変動入賞装置に入賞した球が特別入賞口へ流入するか否か以外にも、次回の第１可動部材開放時間を決定する変動表示ゲームを楽しむことができるので、遊技の興趣を一層高めることができるという効果がある。また、第１可動部材の開放時間の長さを可変するのであれば、遊技機間の入賞率に個体差を生じ難いため、全ての遊技者に公平な遊技環境を提供することができるという効果がある。
【００１９】
また、請求項３に係る発明によれば、複数の識別情報が変動表示されている途中に始動口への入賞を検出した場合は、その変動表示を延長するため、当該始動口への入賞に対する第１可動部材の開放時間は変動表示開始前の停止識別情報に基づくものとなるため、遊技者に対して不信感を抱かせることなくスムーズな遊技進行が可能になるという効果がある。
【００２０】
また、請求項４に係る発明によれば、複数の識別情報が変動表示中に前記始動口へ遊技球が入賞しても補助遊技は行わないため、第１可動部材の開放時間が不明瞭なまま補助遊技を行うことがなく遊技者に不信感を抱かせることがないという効果がある。
【００２１】
また、請求項５に係る発明によれば、始動口への入賞に基づく、次回の第１可動部材開放時間を決定する変動表示ゲームを有効に行うことができ、遊技者に公平な環境を提供することができるという効果がある。
【００２２】
また、請求項６に係る発明によれば、複数の識別情報が変動表示中に特別入賞口への入賞を検出した場合は、その際の変動表示に対応する抽選結果を破棄するため、その特別入賞口への球の入賞に関連した特別遊技の後に、補助遊技が発生した場合の開放時間は変動表示開始前の停止識別情報に関連するものとなるので、遊技者に不信感を抱かせることなく、スムーズな遊技進行が可能になるという効果がある。
【００２３】
また、請求項７に係る発明によれば、第２変動表示装置が変動表示中に第１変動表示装置の変動表示開始した場合は、第１変動表示装置における変動表示の停止タイミングを第２変動表示装置における変動表示の停止タイミングよりも遅延させるので、補助遊技の際に第１可動部材の開放時間を遊技者に報知してから開放動作を行わせることができる。よって、遊技者は第１可動部材の開放時間が分からない状態で開放を開始することがないという効果がある。
【００２４】
また、請求項８に係る発明によれば、第１可動部材の開放時間の長短が、補助遊技中の特別入賞口への入賞率に大きく影響を与えるため、第１可動部材の開放時間が重要になり、遊技の興趣をさらに高めることができるという効果がある。
【発明を実施するための最良の形態】
【００２５】
以下、本発明の好適な実施の形態を図面に基づいて説明する。
図１は、本発明を適用して好適な遊技機の第一実施形態としてのパチンコ機の遊技盤の構成例を示す正面図であり、この実施形態ではいわゆる「第２種」に属するタイプのパチンコ機の遊技盤を示す。図２は、遊技盤上の第１変動入賞装置の拡大図である。
【００２６】
図１において、符号１００で示されているのは遊技盤であり、この遊技盤１００の前面に、下方より発射された遊技球を遊技盤上部に誘導する円弧状のガイドレール１０１を設け、遊技盤に取り付けるための第１取付基板ＴＫ１、遊技盤面の前面がわに突出している鎧部Ｙ、左右一対の開閉部材（第１可動部材）５００，入賞球検出センサ５０１，７セグメント型のカウント数表示装置５０２、開放時間決定図柄表示装置（第１変動表示装置）５０３等を備える大入賞口としての第１変動入賞装置１０２、入賞に基づいて開閉部材５００を１回開閉させる始動口１０３ａ，１０３ｂ，１０３ｃ、入賞口１０７，１０８、遊技の演出効果を高める装飾ＬＥＤ１２４，１２５、打球の流れにランダム性を与える風車と呼ばれる打球方向変換部材１２６と多数の障害釘（図示略）が設けられている。
【００２７】
始動口１０３ａ，１０３ｂ，１０３ｃには、始動口センサＳ１ａ，Ｓ１ｂ，Ｓ１ｃがそれぞれ設けられている。また、各入賞口１０７，１０８，１０９にもそれぞれ入賞口センサＳＳ１，ＳＳ２，ＳＳ４が配設されている。この実施形態の遊技機では、第１変動入賞装置１０２への入賞球数をカウント数表示装置に表示するようになっている。
【００２８】
なお、特に限定されるわけでないが、この実施形態では、入賞球検出センサ５０１，始動口センサＳ１ａ，Ｓ１ｂ，Ｓ１ｃ、入賞口センサＳＳ１，ＳＳ２，ＳＳ４等はリミットスイッチや非接触型のセンサで構成されている。
【００２９】
開放時間決定図柄表示装置５０３は、液晶表示装置やＬＥＤ表示装置等で構成され、この実施形態では、一般入賞口センサＳＳ３の検出信号に基づいて数字等の図柄である複数の識別情報（開放時間決定図柄）を変動表示させる補助遊技内容決定ゲームを実行し、その停止図柄が所定の当たり図柄（例えば、「７」）となった場合に、次回からの補助遊技において、開閉部材５００の開閉間隔を通常の４００ｍ秒より長い１８００ｍ秒に変更させるようになっている。なお、詳細な制御手順等については後述する。
遊技盤１００の下方には、何れの入賞口にも入賞しなかった遊技球が流入するアウト穴５０５が設けられている。
【００３０】
ここで、図３と図４を参照して、第１変動入賞装置１０２の内部構造について説明する。図３は第１変動入賞装置１０２の一部断面斜視図、図４は断面側面図である。
図３において、開閉部材５００を介して第１変動入賞装置１０２内に流入した遊技球Ｑを入賞球検出センサ５０１に導入するための傾斜板６１０が左右の開閉部材５００間に配設されている。入賞球検出センサ５０１の下方側には、入賞球検出センサ５０１を経由して流下する遊技球を受けるステージ部Ｓが配設されている。
【００３１】
このステージ部Ｓは、第１変動入賞装置１０２の前面側に傾斜した環状流路７００と、環状流路７００の中央部にあって後述する駆動源によって回転される円盤形の回転体Ｒとから構成されており、第１変動入賞装置１０２の中央部に形成される第１凹室８００内に格納されている。なお、環状流路７００の回転体Ｒ側には、環状流路７００を流下する球が回転体Ｒに落下するのを防止するための区画壁Ｋが形成されている。
【００３２】
環状流路７００の入賞球検出センサ５０１の直下位置には、突起部７０１が形成され、入賞球検出センサ５０１を経由して流下して来る遊技球をランダムに左右に振り分けるようになっている。また、環状流路７００の前方側の傾斜端には区画壁Ｋを切り欠き、床面を回転体Ｒ側に傾斜させた切欠部７０２が形成され、遊技球が環状流路７００を流下して来た際に、回転体Ｒに形成される開口部（特別入賞口）６００がタイミング良く切欠部７０２に到来した場合には、遊技球は特別入賞口６００を介して流下し、回転体Ｒの下方に配設される特別入賞口センサＳＳＴ（図４参照）によって検出されるようになっている。なお、環状流路７００および回転体Ｒにおいて遊技球が転動する様子は、第１変動入賞装置１０２の前面側の開口部から遊技者が視認できる配置となっており、興趣を高めることができるようになっている。
【００３３】
回転体Ｒには、表面側の周縁部に沿って等間隔の複数の切欠部からなる球貯留部６０３が形成されており、環状流路７００からランダムに回転体Ｒ側に落下して来る遊技球がこれらの球貯留部６０３に貯留されて回転体Ｒの回転に伴って（本実施形態では、時計回り方向に）移送されるようになっている。また、回転体Ｒの周縁部の一箇所には前記切欠部に代えて特別入賞口となる孔状の開口部６００が形成されている。なお、特別入賞口６００の出口は、図４に示すように下方に配設されている特別入賞口センサＳＳＴに通じている。
【００３４】
また、図５（回転体の一部切り欠き平面図）に示すように、回転体Ｒの下面には、球貯留部６０３の底部となる円盤状部材７０３が配設されており、その一部に球貯留部６０３に貯留されて移送されて来る遊技球を流下させる一般入賞口としての開口部７０４が形成されている。一般入賞口７０４の近傍には一般入賞口センサＳＳ３が配設されており、回転体Ｒの球貯留部６０３により移送され一般入賞口７０４を介して流入する遊技球を検出するようになっている。
【００３５】
なお、詳細な構成については省略するが、一般入賞口７０４は一般入賞球処理ソレノイド９００（図６参照）を駆動源とする開閉機構９０１を備え、遊技制御装置２００の制御により所定のタイミングで一般入賞口７０４からの遊技球の流入を許可したり阻止したりするようになっている。
【００３６】
次に、図４を参照して、回転体Ｒの駆動機構等について説明する。
図４に示すように、回転体Ｒには垂直方向に支持される回転軸６１１が固着されており、回転軸６１１の下端部には従動ギア６１２が設けられている。従動ギア６１１には駆動ギア６１３が噛合され、駆動ギア６１３は第１変動入賞装置１０２の下方に配設される回転体駆動モータＭに接続されて遊技制御装置２００の制御により回転駆動されるようになっている。また、図示は省略するが、回転体Ｒの回転位置を検出する回転体位置検出センサが所定位置に設けられている。
【００３７】
なお、回転体駆動モータＭの斜め上方には、前述の開閉部材５００を開閉駆動させる開閉部材開放ソレノイド４０１（４０２）が収納されている。また、特別入賞口センサＳＳＴの前方側には、前述の開放時間決定図柄表示装置５０３が配設されている。また、図上、符号Ｇで示される部材は、遊技盤１００の前面に配設されるガラス板である。
【００３８】
次に、図６に基づいて、遊技制御装置（制御手段）２００と演出制御装置(制御手段）３００の一例を説明する。図６は、遊技制御装置２００と演出制御装置３００の概略構成を示すブロック図である。
図６に示されているように、遊技制御装置２００は遊技に必要な役物制御を行う半導体集積回路化されたワンチップマイコン（広義のＣＰＵ）からなる遊技用マイクロコンピュータ２１１と、水晶発振子の発振信号を分周して所定の周波数のクロック信号を得るクロック生成回路（発振器）２１２と、各種センサからの信号を受け入れる入出力インターフェース（Ｉ／Ｆ）２１３とを含んで構成される。
【００３９】
前記遊技用マイクロコンピュータ２１１は、演算制御手段としての中央処理ユニット（ＣＰＵ）と、記憶手段としてＲＯＭ（リードオンリメモリ）およびＲＡＭ（ランダムアクセスメモリ）などを内蔵しており、いわゆるアミューズチップ用のＩＣとして製造されている。ＣＰＵが行なう遊技進行制御に必要なプログラムや賞球数データはＲＯＭに格納されている。
【００４０】
遊技制御装置２００には、入出力インターフェース２１３を介して、始動口１０３ａ〜ｃ内の始動口センサＳ１ａ〜ｃからの信号、回転体位置検出センサＳＫからの信号、入賞球検出センサ５０１，入賞口センサＳＳ１，ＳＳ２，一般入賞口センサＳＳ３，特別入賞口センサＳＳＴからの検出信号などが入力される。
【００４１】
一方、遊技制御装置２００からは入出力インターフェース２１３を介して、開閉部材を開閉駆動するソレノイド４０１，４０２、回転体駆動モータＭ、一般入賞球処理ソレノイド９００の駆動信号、図示しない遊技店の管理装置に対して大当り発生などのデータを送信する遊技盤用外部情報端子板９０２への信号などが出力される。
【００４２】
演出制御装置３００は、演出制御用のＣＰＵ、入出力インタフェース（Ｉ／Ｆ）、制御用プログラムや固定データを記憶するリードオンリメモリ（ＲＯＭ）、演出制御用ＣＰＵの作業領域を提供したり遊技制御装置２００から送られて来たデータや演出用データを記憶するランダムアクセスメモリ（ＲＡＭ）などで構成される。
【００４３】
演出制御装置３００の演出制御用ＣＰＵには、入出力インターフェースを介して、遊技制御装置２００から演出制御データ等が入力される。また、入出力インタフェースを介してカウント数表示装置５０２、開放時間決定図柄表示装置５０３、装飾ＬＥＤ１２４，１２５、スピーカＳＰ等が接続されている。
【００４４】
開放時間決定図柄表示装置５０３は、演出制御装置３００の制御により、一般入賞口センサＳＳ３の検出信号に基づいて数字等の図柄を変動表示させる補助遊技内容決定ゲームを実行し、その停止図柄が所定の当たり図柄（例えば、「７」）となった場合に、次回からの補助遊技において、開閉部材５００の開閉間隔を通常の４００ｍ秒より長い１８００ｍ秒に変更させるようになっている。これにより、次回の開閉部材の開放時間を決定する変動表示ゲームを楽しむことができるので、遊技の興趣を一層高めることができるという効果がある。また、可動部材の開放時間の長さを可変するのであれば、第１変動入賞装置間の入賞率に個体差を生じ難いため、全ての遊技者に公平な遊技環境を提供することができるという効果がある。
【００４５】
次に、図７〜図２０のフローチャートおよび図２１のタイミングチャートを参照して上記実施形態に係るパチンコ機の制御手順について説明する。なお、本実施形態では、特別入賞口センサＳＳＴの有効時間中は開放時間決定図柄の変動表示を１回しか行わないタイプのパチンコ機を例示する。
【００４６】
図７は、遊技制御処理の制御手順を示すフローチャートである。
この処理が開始されると、まずステップＳ１０で各センサＳＳ１，ＳＳ２，ＳＳ３，ＳＳＴやカウント数表示装置５０２，開放時間決定図柄表示装置５０３等を初期化する初期化処理が実行され、次いで、始動口センサ判定処理のサブルーチンＳＢ１および始動入賞開閉処理のサブルーチンＳＢ２が実行される。なお、各サブルーチンＳＢ１，ＳＢ２の詳細は後述する。次いで、ステップＳ１１に移行して大当りフラグがセットされたか否かが判定され、判定結果が"Ｙｅｓ"の場合にはステップＳ１２に移行して大当り（特別遊技）処理を実行した後、ステップＳ１１に戻る。一方、ステップＳ１１で"Ｎｏ"と判定された場合にはサブルーチンＳＢ１に戻る。
【００４７】
ここで、先出のサブルーチンＳＢ１とＳＢ２について、図８〜図１０のフローチャートを参照して説明する。
サブルーチンＳＢ１の始動口センサ判定処理では、ステップＳ２０で始動入賞フラグがセットされているか否かが判定され、セットされていない場合にはループを形成して待機し、セットされたと判定された場合にはステップＳ２１に移行する。ステップＳ２１ではメイン制御タイマをクリアしてステップＳ２２に進み、ステップＳ２２では始動入賞フラグをリセットしてステップＳ２３に移行する。
【００４８】
ステップＳ２３では、開閉部材５００の作動準備時間に１０００ｍ秒をメモリにセットしてからステップＳ２４に移行する。ステップＳ２４では、開放時間を長くするか否かを示す開放時間長モードフラグがセットされているか否かが判定され、セットしない場合にはステップＳ２５に移行して開閉部材５００の開放時間として通常の４００ｍ秒をセットしてステップＳ２７に移行する。一方、ステップＳ２４で開放時間長モードフラグがセットされていると判定された場合にはステップＳ２６に移行して開閉部材５００の開放時間として１８００ｍ秒をセットしてステップＳ２７に移行する。
【００４９】
ステップＳ２７では、特別入賞口センサおよび一般入賞口センサの有効時間に５０００ｍ秒をメモリにセットしてステップＳ２８に移行し、始動入賞無効化フラグをセットしてから図７の遊技制御処理に戻る。
【００５０】
次いで、サブルーチンＳＢ２の始動入賞開閉処理では、ステップＳ３０でメイン制御タイマに開閉部材５００の作動準備時間を設定してからステップＳ３１に移行する（前記作動準備時間は始動口センサ判定処理のステップＳ２３でメモリにセットした１０００ｍ秒である。）。ステップＳ３１では、メイン設定タイマがタイムアップしたか否かが判定され、"Ｎｏ"の場合にはサブルーチンＳＢ３の一般入賞口処理に移行し、"Ｙｅｓ"の場合にはステップＳ３２に移行する。
【００５１】
ステップＳ３２では、開閉部材開放ソレノイド４０１，４０２はオン状態か否かが判定され、"Ｙｅｓ"の場合にはステップＳ３６以降の処理を実行し、"Ｎｏ"の場合にはステップＳ３３に移行する。ステップＳ３３では、開閉部材開放ソレノイド４０１，４０２をオンしてステップＳ３４に移行し、メイン設定タイマに開閉部材５００の開放時間を設定してからサブルーチンＳＢ３の一般入賞口処理に移行する（前記開放時間は、始動口センサ判定処理のステップＳ２５あるいはステップＳ２６でメモリにセットした４００ｍ秒または１８００ｍ秒である。）。
【００５２】
ここで、一般入賞口処理について図１１のフローチャートを参照して説明する。
まず、ステップＳ５０で一般入賞口センサＳＳ３がオンか否かが判定され、"Ｎｏ"の場合にはそのまま図９の始動入賞開閉処理にリターンする。一方、"Ｙｅｓ"と判定された場合にはステップＳ５１に移行する。
【００５３】
ステップＳ５１では、遊技制御装置２００から演出制御装置３００への開放時間決定図柄の送信済フラグがセットされたか否かが判定され、"Ｙｅｓ"の場合には図９の始動入賞開閉処理にリターンし、"Ｎｏ"の場合にはステップＳ５２に移行する。
【００５４】
ステップＳ５２では乱数の抽出を行ってからステップＳ５３に移行し、抽出した乱数値が当たりか否かが判定される。そして、当たりの場合にはステップＳ５４に移行して開放時間を長くするための長モードフラグをセットし、ハズレの場合にはステップＳ５５に移行して長モードフラグをリセットしてステップＳ５６に移行する。ステップＳ５６では当否データ（図柄データ（例えば「７」や「Ｖ」等））と変動時間（５００ｍ秒）データを送信データとセットしてから図９の始動入賞開閉処理にリターンする。
【００５５】
次いで、図９のフローチャートに戻ってステップＳ３５に移行し、特別入賞口センサＳＳＴがオン状態か否かが判定され、"Ｎｏ"の場合にはステップＳ３１に戻り、"Ｙｅｓ"の場合には図１０のステップＳ４１にジャンプする。
一方、前出のステップＳ３２で開閉部材開放ソレノイド４０１，４０２はオン状態であると判定された場合にはステップＳ３６に移行して、開閉部材開放ソレノイドをオフにしてからステップＳ３７に進み、始動入賞無効化フラグをリセットして図１０のステップＳ３８に移行する。
【００５６】
ステップＳ３８では、ステップＳ２７でメモリにセットした５０００ｍ秒をメイン制御タイマに特別入賞口センサ及び一般入賞口センサの有効時間としてセットしてからステップＳ３９に移行する。ステップＳ３９では、メイン制御タイマはタイムアップしたか否かが判定され、タイムアップした場合にはステップＳ４２に移行し、タイムアップしていないと判定された場合には前出の一般入賞口処理のサブルーチンＳＢ３に移行する。
【００５７】
次いで、ステップＳ４０が実行され、特別入賞口センサＳＳＴはオン状態か否かが判定され、オフ状態の場合にはステップＳ３９に戻り、オン状態と判定された場合にはステップＳ４１に移行する。ステップＳ４１では、大当りフラグをセットしてからステップＳ４２に進み、送信済フラグをリセットしてステップＳ４３に移行する。
【００５８】
ステップＳ４３では、開閉部材開放ソレノイド４０１，４０２をオフ状態にしてからステップＳ４４に移行してメイン制御タイマをクリアして図７の遊技制御処理に戻る。
【００５９】
次に図１２のフローチャートに基づいてタイマ割込処理について説明する。このタイマ割込処理は１ｍ秒毎に行われる。
まず、図１３に示す各種センサ監視処理のサブルーチンＳＢ４が実行され、次いでステップＳ６０で開閉部材５００の開放時間決定図柄を送信して送信済フラグをセットする各種データ送信処理を行ってからステップＳ６１に移行する。ステップＳ６１では各種タイマの更新処理が行われ、次いで図１４に示すモード移行処理のサブルーチンＳＢ５を実行する。
【００６０】
図１３の各種センサ監視処理では、まず図１５に示す始動口センサ監視処理のサブルーチンＳＢ６が実行され、次いでステップＳ６２でその他の入賞口のセンサ監視処理が実行される。
【００６１】
ここで、図１４のフローチャートを参照してモード移行処理のサブルーチンＳＢ５について説明する。
この処理では、まずステップＳ７０で開閉部材５００の開放時間決定図柄は変動から停止したか否かが判定され、"Ｎｏ"の場合にはそのまま図１２のタイマ割込処理に戻り、"Ｙｅｓ"の場合にはステップＳ７１に移行する。ステップＳ７１では、長モードフラグがセットされたか否かが判定され、"Ｙｅｓ"の場合にはステップＳ７２に移行して開放時間を長くするための開放時間長モードフラグをセットし、"Ｎｏ"の場合にはステップＳ７３に移行して開放時間長モードフラグをリセットして図１２のタイマ割込処理に戻る（前記開放時間長モードフラグは、始動口センサ判定処理のステップＳ２４で判定される。）。
【００６２】
次に、図１５のフローチャートを参照して始動口センサ監視処理のサブルーチンＳＢ６について説明する。
この処理では、ステップＳ８０で始動入賞無効化フラグがセットされているか否かが判定され、"Ｙｅｓ"の場合にはそのまま図１３の各種センサ監視処理に戻り、"Ｎｏ"の場合にはステップＳ８１に移行して始動口センサがオン状態か否かが判定される。そして、"Ｎｏ"の場合には図１３の各種センサ監視処理に戻り、"Ｙｅｓ"の場合にはステップＳ８２に移行し始動入賞フラグをセットして図１３の各種センサ監視処理に戻る（前記始動入賞フラグは、始動口センサ判定処理のステップＳ２０で判定される。）。
【００６３】
以上の図７から図１５に示すフローチャートの一連の処理により、特別入賞口センサＳＳＴで検出されずに一般入賞口センサＳＳ３の検出に基づく次回の開閉部材５００の開放時間を決定する変動表示ゲームが実行され、その結果に基づいて、当たりの場合には通常の開閉間隔（４００ｍ秒）よりも長い１８００ｍ秒で開閉部材５００が開閉されるので入賞率が変化し、遊技の興趣を高めることが期待できる。また、入賞率を変化させるために機械的あるいは構造的な変更を加えていないので個体差を生じにくく、全ての遊技者に公平な遊技環境を提供することができるという効果がある。
【００６４】
次に、前述の図７〜図１５の一連の処理のうち、図１１の一般入賞口処理（サブルーチンＳＢ３）の一般入賞口センサＳＳ３を入賞球検出センサ５０１に置き換えた入賞球検出処理（図１６のフローチャート（サブルーチンＳＢ１０））とした第２実施形態について説明する。なお、図１〜図６に示す遊技機の構成に変更はない。
【００６５】
この入賞球検出処理が開始されると、まずステップＳ９０で入賞球検出センサ５０１がオン状態か否かが判定され、"Ｎｏ"の場合にはそのまま始動入賞開閉処理に戻り、"Ｙｅｓ"の場合にはステップＳ９１に移行する。ステップＳ９１では送信済フラグがセットされているか否かが判定され、"Ｙｅｓ"の場合には始動入賞開閉処理に戻り、"Ｎｏ"の場合にはステップＳ９２に進んで乱数の抽出を行う。次いで、ステップＳ９３では、抽出した乱数値が当たりか否かが判定され、当たりの場合にはステップＳ９４に移行して開閉部材５００の開放時間を通常より長く（例えば１８００ｍ秒）設定するための長モードフラグをセットし、ハズレの場合にはステップＳ９５に移行して長モードフラグをリセットする。次いで、ステップＳ９６に移行して、当否データ（図柄データ）と変動時間（５００ｍ秒）データを送信データとしてセットして始動入賞開閉処理に戻る。
【００６６】
この実施形態によれば、遊技者は補助遊技の際に、第１変動入賞装置１０２に入賞した遊技球が特別入賞口６００へ流入する場合以外にも、第１変動入賞装置１０２内の入賞球検出センサ５０１で遊技球が検出された場合にも次回の開閉部材５００の開放時間を決定する変動表示ゲームを楽しむことができるので、遊技の興趣を一層高めることができる。
【００６７】
次に、前述の図７〜図１５の一連の処理のうち、図１３の始動口センサ監視処理（サブルーチンＳＢ６）を図１７のフローチャート（サブルーチンＳＢ２０）に置き換えた第３実施形態（開閉部材５００が開放中に始動口１０３ａ〜ｃに入賞した場合には変動時間を延長する制御）について説明する。なお、この第３実施形態を適用するにあたり図１〜図６に示す遊技機の構成に変更を加える必要はない。
【００６８】
この始動口センサ監視処理が開始されると、まずステップＳ１００で始動入賞無効化フラグがセットされているか否かが判定され、セットされていると判定された場合にはそのまま図１３の各種センサ監視処理に戻り、セットされていないと判定された場合には、ステップＳ１０１に移行する。ステップＳ１０１では、始動口センサＳ１ａ〜ｃがオン状態か否かが判定され、"Ｎｏ"の場合には図１３の各種センサ監視処理に戻り、"Ｙｅｓ"の場合にはステップＳ１０２に移行し、始動入賞フラグをセットしてステップＳ１０３に進む。
【００６９】
ステップＳ１０３では、開放時間決定図柄変動中か否かが判定され、"Ｎｏ"の場合には図１３の各種センサ監視処理に戻り、"Ｙｅｓ"の場合にはステップＳ１０４に移行する。ステップＳ１０４では、長モードフラグがセットされているか否かが判定され、セットされていない場合にはステップＳ１０５に移行して開閉部材５００の開放時間決定図柄変動時間を１４００ｍ秒に延長するコマンドを送信データにセットし、長モードフラグがセットされている場合には開閉部材５００の開放時間決定図柄変動時間を２８００ｍ秒に延長するコマンドを送信データにセットしてから図１３の各種センサ監視処理に戻る。
【００７０】
図２１のタイミングチャートは、上記の処理により、開放時間決定図柄の変動中にｔ１のタイミングで始動口１０３ａ〜ｃの何れかに入賞したことに基づいて、開放時間決定図柄の変動時間を１４００ｍ秒延長（ステップＳ１０５）する場合を示す。なお、始動口センサのオンと開閉部材開放ソレノイドの作動タイミングは、始動口センサがオンになってから１０００ｍ秒の準備期間があり、その後４００ｍ秒間に亘って開放部材開放ソレノイドがオン状態になるように設定されている。
【００７１】
この実施形態によれば、複数の識別情報が変動表示されている途中に始動口１０３ａ〜ｃへの入賞を始動口センサＳ１ａ〜ｃで検出した場合には、その変動表示を延長するため、始動口への入賞に対する開閉部材５００の開放時間は変動表示開始前の停止識別情報に基づくものとなり、遊技者に対して不信感を抱かせることなくスムーズな遊技進行が可能になるという効果が得られる。
【００７２】
次に、前述の図７〜図１５の一連の処理のうち、図１３の始動口センサ監視処理（サブルーチンＳＢ６）を図１８のフローチャート（サブルーチンＳＢ３０）に置き換えた第４実施形態（開放時間決定図柄の変動中は始動入賞を無効化する制御）について説明する。なお、この第４実施形態を適用するにあたり図１〜図６に示す遊技機の構成に変更を加える必要はない。
【００７３】
この始動口センサ監視処理が開始されると、まずステップＳ１１０で開放時間決定図柄が変動中か否かが判定され、変動中である場合にはそのまま図１３の各種センサ監視処理に戻り、変動中でない場合にはステップＳ１１１に移行する。ステップＳ１１１では、始動入賞無効化フラグがセットされているか否かが判定され、セットされている場合には図１３の各種センサ監視処理に戻り、セットされていない場合にはステップＳ１１２に移行する。
【００７４】
ステップＳ１１２では、始動口センサＳ１ａ〜ｃがオン状態か否かが判定され、"Ｎｏ"の場合には図１３の各種センサ監視処理に戻り、"Ｙｅｓ"の場合にはステップＳ１１３に移行して始動入賞フラグをセットしてから図１３の各種センサ監視処理に戻る。
従って、例えば図２２のタイミングチャートに示すように、開放時間決定図柄が変動表示中（タイミングｔ４）にタイミングｔ２で始動口センサＳ１ａ〜ｃがオンとなった場合に、本来であればタイミングｔ３’で作動する開閉部材開放ソレノイド４０１，４０２を作動させない。なお、開閉部材開放ソレノイド４０１，４０２の作動タイミングを開放時間決定図柄が停止した後に遅らせても良い。
【００７５】
この実施形態によれば、複数の識別情報が変動表示中に始動口１０３ａ〜ｃへ遊技球が入賞しても補助遊技は行わないため、これら始動口への入賞に対する開閉部材５００の開放時間は変動表示開始前の停止識別情報に基づくものとなり、遊技者に対して不信感を抱かせることなく、スムーズな遊技進行が可能になるという効果が得られる。
【００７６】
次に、前述の図７〜図１５の一連の処理のうち、図１３の始動口センサ監視処理（サブルーチンＳＢ６）を図１９のフローチャート（サブルーチンＳＢ４０）に置き換えた第５実施形態について説明する。
この始動口センサ監視処理が開始されると、まずステップＳ１２０で始動入賞無効化フラグがセットされているか否かが判定され、セットされている場合にはそのまま図１３の各種センサ監視処理に戻り、セットされていない場合にはステップＳ１２１に移行する。ステップＳ１２１では、始動口センサＳ１ａ〜ｃがオン状態か否かが判定され、"Ｎｏ"の場合には図１３の各種センサ監視処理に戻り、"Ｙｅｓ"の場合にはステップＳ１２２に移行して始動入賞フラグをセットしてステップＳ１２３に移行する。
【００７７】
ステップＳ１２３では、開放時間決定図柄が変動中か否かが判定され、変動中でない場合には図１３の各種センサ監視処理に戻り、変動中である場合にはステップＳ１２４に移行して開放時間決定図柄の変動停止コマンドを送信データにセットしてから図１３の各種センサ監視処理に戻る。
従って、例えば図２３のタイミングチャートに示すように、開放時間決定図柄が変動中のタイミングであるタイミングｔ５での始動口センサＳ１ａ〜ｃがオンした場合、開放時間決定図柄の変動を停止し、その停止した開放時間決定図柄に基づく第１可動部材５００の開放時間を設定し、タイミングｔ６で開閉部材開放ソレノイド４０１，４０２を設定された開放時間で作動させることができる。
【００７８】
この実施形態によれば、始動口１０３ａ〜ｃへの入賞に基づく、補助遊技内容決定ゲームを有効に行うことができ、遊技者に公平な環境を提供することができるという効果を得ることができる。
【００７９】
次に、前述の図７〜図１５の一連の処理のうち、始動入賞開閉処理の一部である図１０のフローチャートを図２０のフローチャートに置き換えた第６実施形態について説明する。なお、図１〜図６に示す遊技機の構成に変更はない。
【００８０】
この変更された処理では、ステップＳ１３０でメイン制御タイマに特別入賞口センサＳＳＴおよび一般入賞口センサＳＳ３の有効時間（前出のステップＳ２７でメモリにセットした５０００ｍ秒）をセットしてステップＳ１３１に移行する。ステップＳ１３１では、メイン制御タイマはタイムアップしたか否かが判定され、"Ｙｅｓ"の場合にはステップＳ１３７に移行し、"Ｎｏ"の場合には図１１のサブルーチンＳＢ３に移行する。
【００８１】
次いで、ステップＳ１３２に移行して特別入賞口センサはオン状態か否かが判定され、"Ｎｏ"の場合にはステップＳ１３１に戻り、"Ｙｅｓ"の場合にはステップＳ１３３に移行する。ステップＳ１３３では、大当りフラグをセットしてステップＳ１３４に移行する。
【００８２】
ステップＳ１３４では、開放時間決定図柄が変動中か否かが判定され、変動中でない場合にはステップＳ１３７に移行し、変動中である場合にはステップＳ１３５に移行する。
【００８３】
ステップＳ１３５では、変動中の開放時間決定図柄のデータを破棄し、前回の開放時間決定図柄を記憶して、ステップＳ１３６に移行し、前回の長モードフラグ状態としてステップＳ１３７に進む。この処理では、遊技制御装置２００は、前回の開放時間決定図柄データを常に書き換えながらＲＡＭに記憶している。そして、前出のステップＳ１２の大当り処理が終了した後に、記憶してある前回の開放時間決定図柄データを演出制御装置３００に送信している。
【００８４】
ステップＳ１３７では送信済フラグをリセットしてステップＳ１３８に移行し、開閉部材開放ソレノイド４０１，４０２をオフ状態にしてステップＳ１３９に移行する。ステップＳ１３９では、メイン制御タイマをクリアにして図７の遊技制御処理に戻る。なお、ステップＳ１３６の処理に代えて、長モードフラグを強制的にセットするようにしてもよい。
【００８５】
この実施形態によれば、複数の識別情報が変動表示中に特別入賞口６００への入賞を特別入賞口センサＳＳＴで検出した場合は、その際の変動表示に対応する抽選結果を破棄するため、補助遊技の際の開閉部材５００の開放時間は変動表示開始前の停止識別情報に関連するものとなるため、遊技者に対して不信感を抱かせることなく、スムーズな遊技進行が可能になるという効果を得ることができる。
【００８６】
次に、図２４〜図２６を参照して第７実施形態について説明する。
ここで、図２４は第１実施形態に係るパチンコ機の遊技盤の構成例を示す正面図、図２５は遊技制御装置と演出制御装置の概略構成を示すブロック図、図２６は各種センサ等の動作タイミングを示すタイミングチャートである。なお、第１実施形態と同様の構成については図１と同じ符号を付して詳細な説明は省略する。
【００８７】
第１実施形態と本実施形態とで大きく異なるのは、第１変動入賞装置Ｈ１の下方に、普電型始動口１０５と、第２変動入賞装置としての大入賞口Ｈ２が配設されていることである。
【００８８】
図２４において、符号１００で示されているのは遊技盤であり、この遊技盤１００の前面には、ガイドレール１０１を設け、遊技盤に取り付けるための第１取付基板ＴＫ１、左右一対の開閉部材（第１可動部材）５００，入賞球検出センサ５０１，７セグメント型の特図表示装置（第１変動表示装置）１２０、ＬＥＤで構成され入賞を４個まで表示する特図始動記憶表示装置１０４、開放時間決定図柄表示装置（第２変動表示装置）５０３等を備える第１変動入賞装置Ｈ１、入賞に基づいて開閉部材５００を１回開閉させる普電型始動口１０５、入賞口１０７，１０８、普図ゲート１０６、打球の流れにランダム性を与える風車と呼ばれる打球方向変換部材１２６と多数の障害釘（図示略）が設けられている。
【００８９】
普電型始動口１０５の下方には、遊技盤に取り付けるための第１取付基板ＴＫ２、第２可動部材として前方側へ開閉可能な扉１３０と、普通図柄表示装置１２１と、始動口１１０ａ，１１０ｂ等を備える大入賞口としての第２変動入賞装置Ｈ２が設けられている。 
【００９０】
なお、  始動口１１０ａ，１１０ｂ，普電型始動口１０５には、始動口センサＳ１ａ，Ｓ１ｂ，Ｓ１ｃ（図示せず）がそれぞれ設けられている。また、第２可動部材１３０の近傍には大入賞口センサＳＳＡが設けられている。各一般入賞口１０７，１０８にもそれぞれ入賞口センサＳＳ１，ＳＳ２が配設されている。また、普図ゲート１０６には普図ゲートセンサＳＳＧ１，２が設けられている。
【００９１】
なお、特に限定されるわけでないが、この実施形態では、入賞球検出センサ５０１，始動口センサＳ１ａ，Ｓ１ｂ，Ｓ１ｃ、大入賞口センサＳＳＡ、入賞口センサＳＳ１，ＳＳ２等はリミットスイッチや非接触型のセンサで構成されている。
【００９２】
開放時間決定図柄表示装置５０３は、液晶表示装置やＬＥＤ表示装置等で構成され、この実施形態では、入賞球検出センサ５０１の検出信号に基づいて数字等の図柄を変動表示させる補助遊技を実行し、その停止図柄が所定の当たり図柄（例えば、「７」）となった場合に、特別遊技状態において、開閉部材５００の開閉間隔を通常の４００ｍ秒より長い１８００ｍ秒に変更させるようになっている。なお、詳細な制御手順は図７〜図１５のフローチャートと同様である。
【００９３】
遊技盤１００の下方には、何れの入賞口にも入賞しなかった遊技球が流入するアウト穴５０５が設けられている。
【００９４】
第１変動入賞装置Ｈ１の内部構造は、第１実施形態の第１変動入賞装置１０２と同じである（図３〜図５参照）。
【００９５】
次に、図２５に基づいて、遊技制御装置２００と演出制御装置３００の一例を説明する。図２５は、遊技制御装置２００と演出制御装置３００の概略構成を示すブロック図である。
【００９６】
図２５に示されているように、遊技制御装置２００は遊技に必要な役物制御を行う半導体集積回路化されたワンチップマイコン（広義のＣＰＵ）からなる遊技用マイクロコンピュータ２１１と、水晶発振子の発振信号を分周して所定の周波数のクロック信号を得るクロック生成回路（発振器）２１２と、各種センサからの信号を受け入れる入出力インターフェース（Ｉ／Ｆ）２１３とを含んで構成される。
【００９７】
前記遊技用マイクロコンピュータ２１１は、演算制御手段としての中央処理ユニット（ＣＰＵ）と、記憶手段としてＲＯＭ（リードオンリメモリ）およびＲＡＭ（ランダムアクセスメモリ）などを内蔵しており、いわゆるアミューズチップ用のＩＣとして製造されている。ＣＰＵが行なう遊技進行制御に必要なプログラムや賞球数データはＲＯＭに格納されている。
【００９８】
遊技制御装置２００には、入出力インターフェース２１３を介して、始動口１０３ａ〜ｃ内の始動口センサＳ１ａ〜ｃからの信号、回転体位置検出センサＳＫからの信号、入賞球検出センサ５０１，入賞口センサＳＳ１，ＳＳ２，一般入賞口センサＳＳ３，特別入賞口センサＳＳＴ，大入賞口センサＳＳＡ，普図ゲートセンサＳＳＧ１，２からの検出信号などが入力される。
【００９９】
一方、遊技制御装置２００からは入出力インターフェース２１３を介して、第１変動入賞装置の開閉部材５００を開閉駆動するソレノイド４０１，４０２、第２変動入賞装置の第２可動部材を開閉駆動する大入賞口ソレノイド４０４、普電型始動口１０５を普電ソレノイド４０３、回転体駆動モータＭ、一般入賞球処理ソレノイド９００の駆動信号、図示しない遊技店の管理装置に対して大当り発生などのデータを送信する遊技盤用外部情報端子板９０２への信号などが出力される。
【０１００】
演出制御装置３００は、演出制御用のＣＰＵ、入出力インタフェース（Ｉ／Ｆ）、制御用プログラムや固定データを記憶するリードオンリメモリ（ＲＯＭ）、演出制御用ＣＰＵの作業領域を提供したり遊技制御装置２００から送られて来たデータや演出用データを記憶するランダムアクセスメモリ（ＲＡＭ）などで構成される。
【０１０１】
演出制御装置３００の演出制御用ＣＰＵには、入出力インターフェースを介して、遊技制御装置２００から演出制御データ等が入力される。また、入出力インタフェースを介して普図表示装置１２１、特図表示装置１２０、開放時間決定図柄表示装置５０３、装飾ＬＥＤ１２４，１２５、スピーカＳＰ等が接続されている。
【０１０２】
ここで、本実施形態に係る遊技機の動作を簡単に説明する。
まず、何れかの始動口（１０１ａ，ｂ、１０５）に遊技球が入賞すると特図表示装置１２０で変動表示ゲームが実行され、当たりとなった場合には第１可動部材（開閉部材）５００を所定のパターンで開閉動作させ、遊技球が特別入賞口６００に入賞して特別入賞口センサＳＳＴに検出された場合には第２変動入賞装置（大入賞口）Ｈ２の第２可動部材１３０の開閉を開始し、この第２可動部材１３０に遊技球が入賞して大入賞口センサＳＳＡで検出された場合には所定数の賞球を排出する動作を行う。
【０１０３】
また、上記した動作とは別に、普図ゲートセンサＳＳＧ１，ＳＳＧ２により球の通過が検出された場合は、普図表示装置１２１にて普図変動表示ゲームが実行され、その結果が当たり（例えば「７」等）であった場合には普電型始動口１０５を開放する動作を行う。
【０１０４】
さらに、本実施形態においては、開放時間決定図柄表示装置５０３は、演出制御装置３００の制御により、入賞球検出センサ５０１の検出信号に基づいて数字等の図柄を変動表示させる補助遊技内容決定ゲームを実行し、その停止図柄が所定の当たり図柄（例えば、「７」）となった場合に、次回からの補助遊技において、開閉部材５００の開閉間隔を通常の４００ｍ秒より長い１８００ｍ秒に変更させるようになっている。これにより、次回の開閉部材の開放時間を決定する変動表示ゲームを楽しむことができるので、遊技の興趣を一層高めることができるという効果がある。また、第１変動入賞装置間の入賞率に個体差を生じ難いため、全ての遊技者に公平な遊技環境を提供することができるという効果を得ることができる。
【０１０５】
また、本実施形態においては、図２６のタイミングチャートに示すように、第２変動表示装置（開放時間決定図柄表示装置）５０３が変動表示中に第１変動表示装置（特図表示装置）１２０の変動表示を開始した場合は、第１変動表示装置１２０における変動表示の停止タイミングｔ１０を、第２変動表示装置５０３における変動表示の停止タイミングｔ２０よりも遅延させるようにしている。
【０１０６】
これにより、補助遊技の際に、第１可動部材としての開閉部材５００の開放時間を遊技者に報知してから開放動作を行うことができるので、遊技者は第１可動部材の開放時間が分からない状態で開放を開始することがないという効果を得ることができる。
【０１０７】
次に、図２７〜図２９を参照して第１変動入賞装置の他の実施例について説明する。
ここで、図２７は他の実施例に係る第１変動入賞装置の正面図、図２８はこの第１変動入賞装置の開放状態を示す正面図、図２９は第１変動入賞装置の側方断面図である。
【０１０８】
本実施例に係る第１変動入賞装置２２０には、略中央部に第１凹室２２２が形成され、その第１凹室２２２の前面側上方に７セグメント型の表示器を３つ並設して構成される開放時間決定図柄表示装置２２１が配設されている。
【０１０９】
開放時間決定図柄表示装置２２１は、一般入賞口センサＳＳ２００の検出信号に基づいて数字等の図柄を変動表示させる補助遊技内容決定ゲームを実行し、その停止図柄が所定の当たり図柄（例えば、「７」，［７］，［７］のぞろ目）となった場合に、次回からの補助遊技において、後述する第１可動部材２２３ａ，ｂの開閉間隔を例えば通常の４００ｍ秒より長い１８００ｍ秒に変更させるようになっている。
【０１１０】
第１凹室の前面側の左右端には回転軸２３０を回転中心として所定角度に亘って回動可能な板状の第１可動部材２２３ａ，ｂが設けられている。この第１可動部材２２３ａ，ｂは第１変動入賞装置２２０の裏面側に設けられる第１可動部材開放ソレノイド２２７の駆動力により回動されるようになっている。
前記第１可動部材２２３ａ，ｂは、長い板状に形成され、その長手方向の中間点を回転中心として第１変動入賞装置２２０外側に所定角度回動可能に軸支され、
前記第１変動入賞装置２２０は、前記第１可動部材２２３ａ，ｂの回動角度が上限値に達した状態で、外側の端部から入賞した入賞球を他端から前記特別入賞口２２４へ誘導可能な誘導樋２２５を設ける。
【０１１１】
誘導樋２２５は、第１凹室２２２の奥側壁の略中央から前方へ延設され、誘導樋２２５の底面は後方へ下り傾斜しており、その前端部が特別入賞口２２４となっている。誘導樋２２５の後方側で下方に向けて延長される部位の途中には、第１可動部材２２３ａ，ｂを介して特別入賞口２２４から誘導樋２２５に流入した遊技球を検出する特別入賞口センサＳＳ１００が設けられている。
【０１１２】
誘導樋２２５の下方には、特別入賞口２２４に入らなかった遊技球が流入する一般入賞口２２６が形成されており、一般入賞口２２６の近傍には流入した遊技球を検出する一般入賞口センサＳＳ２００が設けられている。
この実施例に係る第１変動入賞装置２２０によれば、第１可動部材２２３ａ，ｂの開放時間の長短が、補助遊技中の特別入賞口２２４への入賞率に大きく影響を与えるため、第１可動部材２２３ａ，ｂの開放時間が重要になり、遊技の興趣をさらに高めることができる。
【０１１３】
以上本発明者によってなされた発明を実施形態に基づき具体的に説明したが、本明細書で開示された実施の形態はすべての点で例示であって開示された技術に限定されるものではないと考えるべきである。すなわち、本発明の技術的な範囲は、上記の実施形態における説明に基づいて制限的に解釈されるものでなく、あくまでも特許請求の範囲の記載に従って解釈すべきであり、特許請求の範囲の記載技術と均等な技術および特許請求の範囲内でのすべての変更が含まれる。
【図面の簡単な説明】
【０１１４】
【図１】第１実施形態に係るパチンコ機の遊技盤の構成例を示す正面図である。
【図２】遊技盤上の第１変動入賞装置の拡大図である。
【図３】第１変動入賞装置の一部断面斜視図である。
【図４】第１変動入賞装置の側方断面図である。
【図５】第１変動入賞装置内の回転体の一部切り欠き平面図である。
【図６】遊技制御装置と演出制御装置の概略構成を示すブロック図である。
【図７】遊技制御処理の処理手順を示すフローチャートである。
【図８】始動口センサ判定処理の処理手順を示すフローチャートである。
【図９】始動入賞開閉処理の処理手順を示すフローチャートである。
【図１０】始動入賞開閉処理の処理手順の続きを示すフローチャートである。
【図１１】一般入賞口処理の処理手順を示すフローチャートである。
【図１２】タイマ割込処理の処理手順を示すフローチャートである。
【図１３】各種センサ監視処理の処理手順を示すフローチャートである。
【図１４】モード移行処理の処理手順の続きを示すフローチャートである。
【図１５】始動口センサ監視処理の処理手順を示すフローチャートである。
【図１６】入賞球検出処理の処理手順を示すフローチャートである。
【図１７】他の実施形態に係る始動口センサ監視処理の処理手順を示すフローチャートである。
【図１８】他の実施形態に係る始動口センサ監視処理の処理手順を示すフローチャートである。
【図１９】他の実施形態に係る始動口センサ監視処理の処理手順を示すフローチャートである。
【図２０】他の実施形態に係る始動入賞開閉処理の処理手順を示すフローチャートである。
【図２１】各種センサ等の動作タイミングを示すタイミングチャートである。
【図２２】各種センサ等の動作タイミングを示すタイミングチャートである。
【図２３】請求項５に対応する動作タイミングを示すタイミングチャートである。
【図２４】第７実施形態に係るパチンコ機の遊技盤の構成例を示す正面図である。
【図２５】第７実施形態に係るパチンコ機の遊技制御装置と演出制御装置の概略構成を示すブロック図である。
【図２６】第７実施形態に係るパチンコ機の各種センサ等の動作タイミングを示すタイミングチャートである。
【図２７】他の実施例に係る第１変動入賞装置の正面図である。
【図２８】第１変動入賞装置の開放状態を示す正面図である。
【図２９】第１変動入賞装置の側方断面図である。
【符号の説明】
【０１１５】
１００    遊技盤
１０１    ガイドレール
１０２    第１変動入賞装置
１０３ａ〜ｂ  始動口
１０７，１０８    一般入賞口
Ｓ１ａ〜ｃ    始動口センサ
１２４，１２５  装飾ＬＥＤ
２００  遊技制御装置
２１１  マイクロコンピュータ
２１２  クロック生成回路
３００  演出制御装置
４０１，４０２  開閉部材開放ソレノイド
５００  開閉部材（第１可動部材）
５０１  入賞球検出センサ
５０２  カウント数表示装置
５０３  開放時間決定図柄表示装置
Ｓ      ステージ部
Ｒ      回転体
６００  特別入賞口
６０３  球貯留部
６０４  一般入賞口流下路
６１０  傾斜板
７００  環状流路
７０１  突起部
７０２  切欠部
８００  第１凹室
ＳＳ３  一般入賞口センサ
ＳＳＴ  特別入賞口センサ
ＳＫ    回転体位置検出センサ
【図１】
2005185782.tif 000003
【図２】
2005185782.tif 000004
【図３】
2005185782.tif 000005
【図４】
2005185782.tif 000006
【図５】
2005185782.tif 000007
【図６】
2005185782.tif 000008
【図７】
2005185782.tif 000009
【図８】
2005185782.tif 000010
【図９】
2005185782.tif 000011
【図１０】
2005185782.tif 000012
【図１１】
2005185782.tif 000013
【図１２】
2005185782.tif 000014
【図１３】
2005185782.tif 000015
【図１４】
2005185782.tif 000016
【図１５】
2005185782.tif 000017
【図１６】
2005185782.tif 000018
【図１７】
2005185782.tif 000019
【図１８】
2005185782.tif 000020
【図１９】
2005185782.tif 000021
【図２０】
2005185782.tif 000022
【図２１】
2005185782.tif 000023
【図２２】
2005185782.tif 000024
【図２３】
2005185782.tif 000025
【図２４】
2005185782.tif 000026
【図２５】
2005185782.tif 000027
【図２６】
2005185782.tif 000028
【図２７】
2005185782.tif 000029
【図２８】
2005185782.tif 000030
【図２９】
2005185782.tif 000031